(57)【要約】【課題】ハウジングの低背化と短縮化とを図れるカードコネクタを提供する。【解決手段】カード媒体７が差し込まれるハウジング４と、一端部に接点部５ａを有し、かつ他端部に第１の固定部を有する第１のコンタクト５と、一端部に押圧部６ａを有し、かつ他端部に第２の固定部６ｂを有する第２のコンタクト６とを備えたカードコネクタ１であって、第１のコンタクト５は、第１の固定部がハウジング４に固定され、かつハウジング４にカード媒体７が差し込まれたときに、接点部５ａの上面部にカード媒体７のパッド部が当接するよう構成され、第２のコンタクト６は、第２の固定部６ｂがハウジング４に固定され、かつハウジング４にカード媒体７が差し込まれたときに、押圧部６ａに第１のコンタクト５の接点部５ａの下面部が当接するよう構成されている。【選択図】図２
2014229379.tif 000002
【特許請求の範囲】
【請求項１】
カード媒体が差し込まれるハウジングと、
一端部に接点部を有し、かつ他端部に第１の固定部を有するとともに、前記ハウジングに対するカード媒体差し込み方向に延びて、カード媒体厚み方向に弾性変形し得る第１のコンタクトと、
一端部に押圧部を有し、かつ他端部に第２の固定部を有するとともに、前記ハウジングに対するカード媒体差し込み方向に延びて、カード媒体厚み方向に弾性変形し得る第２のコンタクトとを備えたカードコネクタであって、
前記第１のコンタクトは、第１の固定部が前記ハウジングに固定され、かつ前記ハウジングにカード媒体が差し込まれたときに、前記接点部の一方の面部にカード媒体のパッド部が当接するよう構成され、
前記第２のコンタクトは、第２の固定部が前記ハウジングに固定され、かつ前記ハウジングにカード媒体が差し込まれたときに、前記押圧部に前記第１のコンタクトの前記接点部の他方の面部が当接するよう構成されていることを特徴とするカードコネクタ。
【請求項２】
第２のコンタクトのカード媒体厚み方向の寸法を、第１のコンタクトのカード媒体厚み方向の寸法よりも厚くしたことを特徴とする請求項１に記載のカードコネクタ。
【発明の詳細な説明】
【技術分野】
【０００１】
本発明は、カードコネクタに関する。
【背景技術】
【０００２】
従来、携帯電話機や情報端末機器等の電子機器に用いるカードコネクタとして、カード媒体の差し込み方向に延びる複数のコンタクトを、カード媒体の幅方向に並列に配置したカードコネクタが知られている（例えば、特許文献１参照）。
【０００３】
コンタクトは、例えば、銅合金等より形成された細長い薄板ばねであって、カード媒体の厚み方向に弾性変形し得るようになっている。
【０００４】
コンタクトは、一端部に基板接続端部を有し、かつ他端部に接点部を有しており、長手方向中間部において基板接続部に隣接する個所が、固定部として合成樹脂製のハウジングに埋め込まれている。これにより、コンタクトは、固定部がハウジングに支持され、かつ接点部がカード媒体のパッド部に当接し得る片持ち梁を構成している。
【先行技術文献】
【特許文献】
【０００５】
【特許文献１】特開２００２−２１６９１４号公報
【発明の概要】
【発明が解決しようとする課題】
【０００６】
近年、カードコネクタでは、ハウジングの厚み寸法を小さくする低背化と、ハウジングのカード媒体差し込み方向の寸法を小さくする短縮化とが要望されているが、ハウジングを低背化するとコンタクトの撓み量（接点部の振れ幅）が必然的に制限され、カード媒体のパッド部に対する接点部の接触荷重を確保し難くなる。
【０００７】
コンタクトの撓み量が制限される状態において、パッド部に対する接点部の接触荷重を確保するのには、コンタクトのばね長さ（コンタクトがハウジングから露出した個所から接点部の端部までの長さ）を短くする必要がある。
【０００８】
しかしながら、コンタクトのばね長さを短くすると、コンタクトに塑性ひずみが発生し易くなり、コンタクトのばね機能が低下することが懸念される。コンタクトに塑性ひずみが発生し難くする手立てとしては、コンタクトの板厚を薄くすればよいが、コンタクトの板厚を薄くすると、カード媒体のパッド部に対する接点部の接触荷重を確保し難くなる。このため、従来のカードコネクタは、ハウジングの低背化と短縮化とを図れなかった。
【０００９】
そこで、本発明は、上述した課題を解決するためになされたものであり、ハウジングの低背化と短縮化とを図れるカードコネクタを提供することを目的としている。
【課題を解決するための手段】
【００１０】
本発明に係るカードコネクタは、上記目的を達成するため、カード媒体が差し込まれるハウジングと、一端部に接点部を有し、かつ他端部に第１の固定部を有するとともに、前記ハウジングに対するカード媒体差し込み方向に延びて、カード媒体厚み方向に弾性変形し得る第１のコンタクトと、一端部に押圧部を有し、かつ他端部に第２の固定部を有するとともに、前記ハウジングに対するカード媒体差し込み方向に延びて、カード媒体厚み方向に弾性変形し得る第２のコンタクトとを備えたカードコネクタであって、前記第１のコンタクトは、第１の固定部が前記ハウジングに固定され、かつ前記ハウジングにカード媒体が差し込まれたときに、前記接点部の一方の面部にカード媒体のパッド部が当接するよう構成され、前記第２のコンタクトは、第２の固定部が前記ハウジングに固定され、かつ前記ハウジングにカード媒体が差し込まれたときに、前記押圧部に前記第１のコンタクトの前記接点部の他方の面部が当接するよう構成されている。
【００１１】
この構成により、本発明のカードコネクタは、ハウジングにカード媒体を差し込むと、第１のコンタクトの接点部の一方の面部にカード媒体のパッド部が当接し、第１のコンタクトの接点部の他方の面部が第２のコンタクトの押圧部に当接し、カード媒体のパッド部に対する接点部の接触荷重を、第１のコンタクトおよび第２のコンタクトで確保する。
【００１２】
このため、本発明のカードコネクタは、第１のコンタクトおよび第２のコンタクトの板厚を薄くし、かつ第１のコンタクトおよび第２のコンタクトのばね長さを短くすることができるため、第１のコンタクトおよび第２のコンタクトにおける弾性変形による可動部の長さを大幅に短くすることができる。よって、本発明のカードコネクタは、ハウジングの低背化と短縮化とを図れる。
【００１３】
また、一般的に、塑性ひずみが発生しにくく、かつ、良好な弾性変形特性を得ることができる薄板金属材料は高価であるが、本発明のカードコネクタは、このような高価な材料を用いることなく、所望する接触荷重を得ることができる。
【００１４】
なお、上記のカードコネクタにおいて、第２のコンタクトのカード媒体厚み方向の寸法を、第１のコンタクトのカード媒体厚み方向の寸法よりも厚く構成してもよい。
【００１５】
この構成により、本発明のカードコネクタは、カード媒体のパッド部に対する接点部の接触荷重を増大することができる。よって、本発明のカードコネクタは、接点部とカード媒体のパッド部との電気的瞬断を確実に回避できる。
【発明の効果】
【００１６】
このように、本発明によれば、ハウジングの低背化と短縮化とを図れるカードコネクタを提供することができる。
【図面の簡単な説明】
【００１７】
【図１】本発明の実施の形態に係るカードコネクタにおいてハウジングにカード媒体を差し込んでいない状態を示す縦断面図である。
【図２】本発明の実施の形態に係るカードコネクタにおいてハウジングにカード媒体を差し込んだ状態を示す縦断面図である。
【図３】本発明の実施の形態に係るカードコネクタに用いる第１のコンタクトおよび第２コンタクトを組み付けたボディ示す斜視図である。
【図４】本発明の実施の形態に係るカードコネクタに用いる第１のコンタクトおよび第２のコンタクトを示す斜視図である。
【図５】本発明の実施の形態に係るカードコネクタにおいてハウジングにカード媒体を差し込んだ状態を示す斜視図である。
【図６】本発明の実施の形態に係るカードコネクタに用いる第１のコンタクトおよび第２のコンタクトの変形例を示す模式図である。
【発明を実施するための形態】
【００１８】
以下、本発明の実施の形態に係るカードコネクタについて、図面を参照して説明する。
【００１９】
図１ないし図５に示すように、カードコネクタ１は、ボディ２およびシールドカバー３を組み合わせて形成されるハウジング４と、ハウジング４に組み付けた第１のコンタクト５および第２のコンタクト６を含んで構成されている。
【００２０】
また、ハウジング４には、例えば、ｍｉｃｒｏＳＤカード等のカード媒体７が差し込まれるようになっている。図中におけるカード媒体７の下部には、図示していないパッド部が設けられている。
【００２１】
ボディ２は、例えば、ＬＣＰ（Liquid Crystal Polymer：液晶ポリマー）等の合成樹脂により形成した枠状体であって、カード媒体７の厚み方向（図２中における上側から下側）に向けて貫通する開口部２ａを有している。
【００２２】
ボディ２は、幅方向両縁部にカード媒体差し込み方向手前Ａ側からカード媒体差し込み方向前方Ｂ側へ向けて延びる側壁部２ｂを有し、また、カード媒体差し込み方向前方Ｂ側の端部にカード媒体７の幅方向に延びる端壁部２ｃを有している。
【００２３】
側壁部２ｂのカード媒体差し込み方向手前Ａ側の端部には、ボディ２の外方側に向けて突出する凸部２ｄが形成され、側壁部２ｂのカード媒体差し込み方向前方Ｂ側の端部には、ボディ２の中心側に向けて窪む凹部２ｅが形成されている。
【００２４】
シールドカバー３は、ボディ２の上部全体を覆う上壁部３ａと、上壁部３ａに連なってボディ２の各側壁部２ｂをそれぞれ覆う側壁部３ｂと、上壁部３ａおよび各側壁部３ｂに連なってボディ２の端壁部２ｃを覆う端壁部３ｃとによって構成されている。
【００２５】
側壁部３ｂのカード媒体差し込み方向手前Ａ側の端部には、前述したボディ２の側壁部２ｂの凸部２ｄが嵌まり込む嵌合孔３ｄが形成され、側壁部３ｂのカード媒体差し込み方向前方Ｂ側の端部には、前述したボディ２の側壁部２ｂの凹部２ｅに入り込む係合部３ｅが形成されている。
【００２６】
係合部３ｅは、カード媒体差し込み方向手前Ａ側の端部が側壁部３ｂに一体に連なり、カード媒体差し込み方向手前Ａ側の端部以外の部分が、側壁部３ｂに対して切り離されている。
【００２７】
ボディ２とシールドカバー３とは、ボディ２の側壁部２ｂの凸部２ｄがシールドカバー３の側壁部３ｂの嵌合孔３ｄに嵌まり込み、ボディ２の側壁部２ｂの凹部２ｅにシールドカバー３の側壁部３ｂの係合部３ｅに入り込むように組み合わされている。
【００２８】
すなわち、ボディ２とシールドカバー３とは、内部にカード媒体７が収容される収容部４ａを有し、カード媒体差し込み方向手前Ａ側の端部に収容部４ａに向けてカード媒体７が差し込まれる挿入口４ｂを有するハウジング４を形成している。
【００２９】
第１のコンタクト５および第２のコンタクト６は、リン青銅等によって形成した細長い薄板ばねであり、カード媒体差し込み方向に延び、かつカード媒体厚み方向に弾性変形し得るようになっている。また、第１のコンタクト５および第２のコンタクト６は、厚み寸法が等しく設定されている。
【００３０】
第１のコンタクト５は、一端部に接点部５ａを有し、かつ他端部に第１の固定部５ｂと基板接続端部５ｃとを有しており、複数個がハウジング４の内部にカード媒体７の幅方向に並ぶよう設けられている。
【００３１】
接点部５ａの幅方向の寸法は、第１のコンタクト５における長手方向中間部分の幅寸法よりも狭く形成されている。さらに、第１の固定部５ｂは、第１のコンタクト５の幅方向の両側に向けて突出している。基板接続端部５ｃは、カード媒体差し込み方向手前Ａ側に向けて突出している。
【００３２】
第１のコンタクト５は、第１の固定部５ｂがボディ２におけるカード媒体差し込み方向手前Ａ側の端部に埋め込まれており、基板接続端部５ｃがボディ２の外部に位置し、また、接点部５ａがハウジング４の収容部４ａ内に位置している。
【００３３】
接点部５ａの上面部には、ハウジング４の挿入口４ｂを経て収容部４ａに差し込まれたカード媒体７のパッド部が接触するようになっている。すなわち、第１のコンタクト５は、カード媒体７のパッド部に対する接点部５ａの接触荷重を担うようになっている。また、基板接続端部５ｃは、図示していない基板の導体箔に半田付けされるようになっている。
【００３４】
第２のコンタクト６は、一端部に押圧部６ａを有し、かつ他端部に第２の固定部６ｂを有しており、複数個がハウジング４の内部にカード媒体７の幅方向に並ぶとともに、第１のコンタクト５の下側に位置するよう設けられている。押圧部６ａは、下方向へ向けて凸形状をなす曲面、すなわち、接点部５ａのある上方向から凹形状をなす曲面をもって形成されている。
【００３５】
押圧部６ａの先端部には、第１のコンタクト５の接点部５ａが噛み合い得る切欠部６ｃが形成されている。また、第２の固定部６ｂには、第２のコンタクト６の厚み方向に貫通する充填孔６ｄが形成されている。
【００３６】
第２のコンタクト６は、第２の固定部６ｂがボディ２の端壁部２ｃに埋め込まれており、また、押圧部６ａがハウジング４の収容部４ａ内に位置している。さらに、充填孔６ｄには、ボディ２を形成する合成樹脂が充填されている。
【００３７】
押圧部６ａの上面部には、ハウジング４の収容部４ａにカード媒体７が差し込まれた際に、第１のコンタクト５の接点部５ａの下面部が当接するようになっている。すなわち、第２のコンタクト６は、第１のコンタクト５の接点部５ａを上向きに押圧し、カード媒体７のパッド部に対する接点部５ａの接触荷重を担うようになっている。
【００３８】
なお、図中、８はスイッチコンタクトを示しており、スイッチコンタクト８は、ボディ２の側壁部２ｂに取り付けられている。
【００３９】
次に、カードコネクタ１の作用を説明する。
【００４０】
カードコネクタ１は、ハウジング４の収容部４ａにカード媒体７が差し込まれていない状態であると、第１のコンタクト５および第２のコンタクト６のいずれにも外力が働いていない。これにより、上下に相対する第１のコンタクト５の接点部５ａの下面部と第２のコンタクト６の押圧部６ａの上面部とは、互いに当接していない。
【００４１】
カードコネクタ１は、ハウジング４の収容部４ａにカード媒体７を差し込むと、カード媒体７によって第１のコンタクトの５の接点部５ａが押し下げられ、接点部５ａの上面部がカード媒体７のパッド部に当接し、第１のコンタクト５の接点部５ａの下面部が第２のコンタクト６の押圧部６ａの上面部に当接する。すなわち、第２のコンタクト６は、第１のコンタクト５の接点部５ａをカード媒体７のパッド部に向けて押圧することになる。
【００４２】
なお、この状態において、接点部５ａの先端部が押圧部６ａの凹形状部分に受容されることで、接点部５ａと押圧部６ａとが重なっている部分のカード媒体厚み方向の寸法が抑えられるため、カードコネクタ１の厚さが増大することを回避できる。
【００４３】
このように、カードコネクタ１は、カード媒体７のパッド部に対する接点部５ａの接触荷重を、第１のコンタクト５および第２のコンタクト６で確保する。このため、カードコネクタは、第１のコンタクトおよび第２のコンタクトの板厚を薄くし、かつ第１のコンタクトおよび第２のコンタクトのばね長さを短くすることがでる。よって、カードコネクタ１は、ハウジング４の低背化と短縮化とを図れる。
【００４４】
上述のカードコネクタ１は、第１のコンタクト５および第２のコンタクト６の厚み寸法を等しく設定しているが、第２のコンタクト６の厚み寸法を、第１のコンタクト５の厚み寸法よりも厚く構成してもよい。
【００４５】
第２のコンタクト６の厚み寸法が、第１のコンタクト５の厚み寸法よりも厚くなると、カード媒体７のパッド部に対する接点部５ａの接触荷重を増大する。つまり、第１のコンタクト５の厚み寸法が薄くても、カード媒体７のパッド部に対する接点部５ａの接触荷重を満たせる。よって、接点部５ａとカード媒体７のパッド部との電気的瞬断を確実に回避できる。
【００４６】
図６は、本発明の実施の形態に係るカードコネクタに用いる第１のコンタクトおよび第２のコンタクトの変形例を示している。
【００４７】
第１のコンタクト１１および第２のコンタクト１２は、リン青銅等によって形成した細長い薄板ばねであり、カード媒体に対する側方視においてヘアピン状に折れ曲がった形状を有し、かつカード媒体厚み方向に弾性変形し得るようになっている。また、第１のコンタクト１１および第２のコンタクト１２は、厚み寸法が等しく設定され、さらに、カード媒体に対する平面視において、カード媒体差し込み方向に直列に配置されている。
【００４８】
第１のコンタクト１１は、屈曲部１１ａ、接点部１１ｂ、および第１の固定部１１ｃを含んで構成されている。屈曲部１１ａは、カード媒体に対する側方視において、カード媒体差し込み方向手前Ａ側が開いた形状を有している。
【００４９】
接点部１１ｂは、屈曲部１１ａのカード媒体差し込み方向手前Ａ側に位置し、かつ屈曲部１１ａの上部に連なっている。第１の固定部１１ｃは、屈曲部１１ａのカード媒体差し込み方向手前Ａ側に位置し、かつ屈曲部１１ａの下部に連なっている。
【００５０】
接点部１１ｂの上面部には、カードコネクタに差し込まれたカード媒体のパッド部が接触するようになっている。すなわち、第１のコンタクト１１は、カード媒体のパッド部に対する接点部１１ｂの接触荷重を担うようになっている。このとき、接点部１１ｂは、カード媒体のパッド部によって押し下げられることになる。
【００５１】
第２のコンタクト１２は、屈曲部１２ａ、押圧部１２ｂ、および第２の固定部１２ｃを含んで構成されており、第１のコンタクト１１のカード媒体差し込み方向手前Ａ側に位置している。屈曲部１２ａは、カード媒体に対する側方視において、カード媒体差し込み方向前方Ｂ側が開いた形状を有している。
【００５２】
押圧部１２ｂは、屈曲部１２ａのカード媒体差し込み方向前方Ｂ側に位置し、かつ屈曲部１２ａの上部に連なって、第１のコンタクト１１の接点部の下側に位置している。第２の固定部１２ｃは、屈曲部１２ａのカード媒体差し込み方向前方Ｂ側に位置し、かつ屈曲部１２ａの下部に連なっている。さらに、第２の固定部１２ｃは、第１のコンタクト１１の第１の固定部１１ｃに一体に形成されている。
【００５３】
押圧部１２ｂの上面部には、カードコネクタにカード媒体が差し込まれた際に、第１のコンタクト１１の接点部１１ｂの下面部が当接するようになっている。すなわち、第２のコンタクト１２は、第１のコンタクト１１の接点部１１ｂを上向きに押圧し、カード媒体のパッド部に対する接点部１１ｂの接触荷重を担うようになっている。
【００５４】
第１のコンタクト１１の第１の固定部１１ｃ、および第２のコンタクト１２の第２の固定部１２ｃは、ボディ２の一部分を構成する合成樹脂に埋め込まれている。また、第１のコンタクト１１の屈曲部１１ａ、もしくは第２のコンタクト１２の屈曲部１２ａは、図示していない基板の導体箔に半田付けされるようになっている。
【００５５】
なお、本発明に係るカードコネクタの技術的範囲は、上述した実施の形態に限定されるものではなく、本発明の範囲を逸脱しない限り、特許請求の範囲に記載した各構成要素の種々の変更を含むものである。
【００５６】
以上のように、本発明に係るカードコネクタは、ハウジングの低背化と短縮化とを図れるカードコネクタを提供することができるという効果を奏するもので、各種の基板アッセンブリ等に有用である。
【符号の説明】
【００５７】
１…カードコネクタ、４…ハウジング、５，１１…第１のコンタクト、５ａ，１１ｂ…接点部、５ｂ，１１ｃ…第１の固定部、６，１２…第２のコンタクト、６ａ，１２ｂ…押圧部、６ｂ，１２ｃ…第２の固定部、７…カード媒体
【図１】
2014229379.tif 000003
【図２】
2014229379.tif 000004
【図３】
2014229379.tif 000005
【図４】
2014229379.tif 000006
【図５】
2014229379.tif 000007
【図６】
2014229379.tif 000008